(57)【要約】【課題】  効率的な排水構造とプロジェクタの冷却効率を向上させた映像投写テーブルを提供する。【解決手段】  映像投写テーブル２００は、映像を投写するプロジェクタ４０と、プロジェクタ４０を収容する筐体３０と、プロジェクタ４０から映像が投写される天板スクリーン１０と、筐体３０および天板スクリーン１０とを支えるフレーム２０と、天板スクリーン１０に設けられた排水を行うための天板排水路１１と、天板排水路１１からの排水としての液体を利用してプロジェクタ４０の発生する熱を冷却する冷却機構部５０とを有している。冷却機構部５０は、液体を貯留するタンク部６０と、液体を排水する排水部７０と、液体を循環させるポンプ部８０と、液体を供給する給水部９０と、プロジェクタ４０で発生する熱をタンク部６０に伝熱する伝熱部１００と、排水部７０、ポンプ部８０及び給水部９０を制御する制御部１１０とを有する。【選択図】      図３
2006126392.tif 000002
【特許請求の範囲】
【請求項１】
映像を投写するプロジェクタと、
前記プロジェクタを収容する筐体と、
前記プロジェクタから映像が投写される天板スクリーンと、
前記筐体および前記天板スクリーンとを支えるフレームと、
前記天板スクリーンに設けられた排水を行うための天板排水路と、
前記天板排水路からの排水としての液体を利用して前記プロジェクタの発生する熱を冷却する冷却機構部とを有することを特徴とする映像投写テーブル。
【請求項２】
請求項１に記載の映像投写テーブルであって、
前記冷却機構部は、前記液体を貯留するタンク部と、
前記プロジェクタで発生する熱を前記タンク部に伝熱する伝熱部と、
前記タンク部に貯留した前記液体を前記映像投写テーブルの外部に排水する排水部とを有することを特徴とする映像投写テーブル。
【請求項３】
請求項２に記載の映像投写テーブルであって、
前記冷却機構部は、前記タンク部に前記映像投写テーブルの外部から液体を供給する給水部を更に有することを特徴とする映像投写テーブル。
【請求項４】
請求項３に記載の映像投写テーブルであって、
前記冷却機構部は、前記排水部及び前記給水部を制御する制御部を更に有することを特徴とする映像投写テーブル。
【請求項５】
請求項１に記載の映像投写テーブルであって、
前記冷却機構部は、前記液体を貯留するタンク部と、
前記プロジェクタで発生する熱を前記タンク部に伝熱する伝熱部と、
前記タンク部に貯留した前記液体を前記映像投写テーブルの外部に排水する排水部と、
前記タンク部に貯留した前記液体を循環させるポンプ部と、
前記排水部及び前記ポンプ部を制御する制御部とを更に有することを特徴とする映像投写テーブル。
【請求項６】
請求項５に記載の映像投写テーブルであって、
前記冷却機構部は、前記タンク部に前記映像投写テーブルの外部から液体を供給する給水部を更に有して、前記制御部は、前記給水部を制御することを特徴とする映像投写テーブル。
【請求項７】
請求項２〜請求項６のいずれか一項に記載の映像投写テーブルであって、
前記伝熱部は、流路で構成され、プロジェクタで発生する熱を前記流路に伝熱させることで前記タンク部に伝熱することを特徴とする映像投写テーブル。
【請求項８】
請求項２〜請求項７のいずれか一項に記載の映像投写テーブルであって、
前記タンク部は１つ以上のタンクを有することを特徴とする映像投写テーブル。
【請求項９】
請求項２〜請求項８のいずれか一項に記載の映像投写テーブルであって、
前記タンク部は放熱用のフィンを有することを特徴とする映像投写テーブル。
【発明の詳細な説明】
【技術分野】
【０００１】
本発明は、テーブルに映像を投写する映像投写テーブルに関する。
【背景技術】
【０００２】
従来の映像投写テーブルとして、複数のプロジェクタと複数の反射ミラーとを用いてスクリーンに画像を投写させるタイプのものがある（特許文献１）。映像を投写するタイプではないが、ディスプレイ装置をテーブルの下方に略垂直に配置し、テーブルの各着席位置からディスプレイを視認できるようにするタイプのものがある（特許文献２）。
【０００３】
上記の各映像投写テーブルでの防水に関して、特許文献１のディスプレイ装置では、スクリーン上面の保護ガラスの外周上面にゴムシートを配設し、押さえ板でゴムシートを押圧することにより保護ガラス上に液体がこぼれた場合に保護ガラス下面に配設される拡散シートに液体が回り込むことを防止している。特許文献２のディスプレイ装置では、テーブルの中央孔部にディスプレイ装置を設置し、中央孔部を含めたテーブルの上面全体にフラット面となる防水性カバーなどを配設して、液体等からディスプレイ装置を保護している。
【０００４】
【特許文献１】特開２００４−１２７１２号公報
【特許文献２】特表２００３−５１５２２５号公報
【発明の開示】
【発明が解決しようとする課題】
【０００５】
しかしながら、特許文献１及び特許文献２において、防水に関しては、上述したように考慮されているが、こぼれた液体に対する排水方法に関しては述べられておらず、こぼれた液体は拭取ることが必要となり、映像投写テーブルの利便性の面で課題がある。また、特許文献１において、映像投写テーブルは、プロジェクタが筐体の内部に収容され、プロジェクタの発生する熱は、プロジェクタ内部で冷却しているため、十分に冷却できないといった課題がある。
【０００６】
本発明は、上記課題に鑑みてなされたものであり、効率的な排水構造とプロジェクタの冷却効率を向上させた映像投写テーブルを提供することを目的とする。
【課題を解決するための手段】
【０００７】
上述した目的を達成するために、本発明は、映像投写テーブルであって、映像を投写するプロジェクタと、プロジェクタを収容する筐体と、プロジェクタから映像が投写される天板スクリーンと、筐体および天板スクリーンとを支えるフレームと、天板スクリーンに設けられた排水を行うための天板排水路と、天板排水路からの排水としての液体を利用してプロジェクタの発生する熱を冷却する冷却機構部とを有することを特徴とする。
【０００８】
このような映像投写テーブルによれば、プロジェクタと筐体と天板スクリーンとフレームと天板排水路と冷却機構部とを有しており、天板スクリーン上面にこぼれた液体は、天板排水路を流通して冷却機構部に流入し、冷却機構部は、流入した液体を利用してプロジェクタの発生する熱を冷却する。よって、こぼれた液体を効率的に利用した排水構造が可能となる。これにより、こぼれた液体は天板スクリーン上面に留まらないため、液体の拭取りが殆ど必要なくなり、ユーザーは映像を視認し続けることができる。また、冷却機構部により、プロジェクタの発生する熱を冷却するため、従来のプロジェクタ内部での冷却に対して、冷却効率を向上することができる。これらにより、映像投写テーブルの利便性を向上することができる。
【０００９】
上記映像投写テーブルにおいては、冷却機構部は、液体を貯留するタンク部と、プロジェクタで発生する熱をタンク部に伝熱する伝熱部と、タンク部に貯留した液体を映像投写テーブルの外部に排水する排水部とを有することが好ましい。
【００１０】
このような映像投写テーブルによれば、冷却機構部は、タンク部と伝熱部と排水部とを有するため、天板スクリーンにこぼれた液体はタンク部に貯留され、伝熱部から伝熱されるプロジェクタで発生した熱をタンク部及びタンク部に貯留する液体に伝熱する。そして、ユーザーが、温まった液体を排水部から排水することで、プロジェクタを冷却することができる。従来のプロジェクタ内部での冷却に対して、冷却効率を向上することができる。これらにより、映像投写テーブルの利便性を向上することができる。
【００１１】
上記映像投写テーブルにおいては、冷却機構部は、タンク部に映像投写テーブルの外部から液体を供給する給水部を更に有することが好ましい。
【００１２】
このような映像投写テーブルによれば、冷却機構部は、更に給水部を有するため、ユーザーは、給水部からタンク部に給水を行い、貯留する液体の量を適量に保持することで、プロジェクタの発生する熱の冷却効率の向上と冷却安定性を向上できる。
【００１３】
上記映像投写テーブルにおいては、冷却機構部は、排水部及び給水部を制御する制御部を更に有することが好ましい。
【００１４】
このような映像投写テーブルによれば、制御部が、排水部及び給水部を制御するため、ユーザー本人が、液体の量を調整する必要がなく、貯留する液体の量を適量に保持でき、プロジェクタの発生する熱の冷却効率の向上と冷却安定性を向上できるため、映像投写テーブルの利便性が更に向上する。
【００１５】
上記映像投写テーブルにおいては、冷却機構部は、液体を貯留するタンク部と、プロジェクタで発生する熱をタンク部に伝熱する伝熱部と、タンク部に貯留した液体を映像投写テーブルの外部に排水する排水部とタンク部に貯留した液体を循環させるポンプ部と、排水部及びポンプ部を制御する制御部とを更に有することが好ましい。
【００１６】
このような映像投写テーブルによれば、冷却機構部は、タンク部と伝熱部と、排水部と、ポンプ部と、制御部とを有するため、天板スクリーンにこぼれた液体はタンク部に貯留され、伝熱部から伝熱されるプロジェクタで発生した熱をタンク部及びタンク部に貯留する液体に伝熱し、制御部の制御により、温まった液体を排水部から排水することで、プロジェクタを冷却することができる。また、制御部の制御により、ポンプ部を駆動してタンク部に貯留する液体を循環することで、更にプロジェクタの冷却効率と映像投写テーブルの利便性を向上することができる。
【００１７】
上記映像投写テーブルにおいては、冷却機構部は、タンク部に映像投写テーブルの外部から液体を供給する給水部を更に有して、制御部は、給水部を制御することが好ましい。
【００１８】
このような映像投写テーブルによれば、冷却機構部は、給水部を更に有して、制御部が、給水部を制御するため、ユーザー本人が、給水部を調整して液体の量を適量に保持する必要がなくなるため、映像投写テーブルの利便性が更に向上する。
【００１９】
上記映像投写テーブルにおいては、冷却機構部の有する伝熱部は、流路で構成され、プロジェクタで発生する熱を流路に伝熱させることでタンク部に伝熱することが好ましい。
【００２０】
このような映像投写テーブルによれば、伝熱部は、流路で構成されているため、プロジェクタで発生する熱を直接に伝熱することができるため、冷却効率が更に向上する。
【００２１】
上記映像投写テーブルにおいては、タンク部は１つ以上のタンクを有することが好ましい。このような映像投写テーブルによれば、タンク部は１つであっても上記説明した効果があるが、複数のタンク部を有することで、プロジェクタの熱で温められたタンク内部の液体を、次に接続するタンク内部に流出し貯留することで、温められた液体が冷却するため、冷却効率が向上する。また、ポンプ部を有する場合は、冷却した液体をポンプ部によりタンク間で循環させることもでき、更に冷却効率が向上する。
【００２２】
上記映像投写テーブルにおいては、タンク部は放熱用のフィンを有することが好ましい。このような映像投写テーブルによれば、タンク部は放熱用のフィンを有するため、伝熱部からタンク部に伝熱されるプロジェクタの発生する熱を、フィンにより効率的に放熱することができ、冷却効率が更に向上する。
【発明を実施するための最良の形態】
【００２３】
以下、本発明の実施形態を図面に基づいて説明する。
【００２４】
図１は、本発明の実施形態に係る映像投写テーブルの概略の側面図である。図２は、映像投写テーブルの概略の側面断面図である。図３は、冷却機構部の概略構成図である。図１、図２及び図３を用いて映像投写テーブル２００の構成及び動作を説明する。
【００２５】
図１に示すように、本実施形態の映像投写テーブル２００は、天板スクリーン１０と、フレーム２０と、筐体３０とを有して構成される。
【００２６】
図２に示すように、筐体３０は概略直方体形状を成しており、筐体３０内部の概略中央部分には映像を投写するプロジェクタ４０を収容している。筐体３０は、上部にプロジェクタ４０からの投写光を通すための投写孔３１が備えられる。プロジェクタ４０は、プロジェクタ４０に設けた投写レンズ４１により、投写孔３１を通して上方に位置する天板スクリーン１０に映像を投写する。また、図中に示す２点鎖線４２は投写される映像の光束の広がりのイメージを示す。また、筐体３０内部には、後述する冷却機構部５０も収容している。
【００２７】
フレーム２０は、筐体３０の４箇所のコーナー部分から、例えば、突出して４本設けられ、それぞれが、天板スクリーン１０の４箇所のコーナー部を支持して、天板スクリーン１０を水平に支える。
【００２８】
天板スクリーン１０は、テーブル面として平面形状が長方形を成す。この形状は、プロジェクタ４０の投写映像のアスペクト比（映像の縦/横の長さの比）に応じた形状と、その他必要な平面とを加えた形状から決められている。また、天板スクリーン１０は、テーブル面を構成すると共に、プロジェクタ４０から映像が投写される透過型スクリーンユニット（図示省略）と、透過型スクリーンユニットの外周に備わる天板排水路１１及び天板スクリーン１０の外周を形成する縁部材（図示省略）とから構成される。
【００２９】
透過型スクリーンユニットは、透明な強化ガラス（図示省略）と、その下面に配設されプロジェクタ４０から映像を投写される透過型スクリーン（図示省略）とで構成されている。強化ガラスは、その表面に反射防止コート等を施して、外光や周囲光等の反射防止を行わせている。また、強化ガラスは、テーブル面としての働きと透過型スクリーンを保護する働きとを兼ねている。透過型スクリーンユニットの外周端面には、防水用コートなどの処理を施し、防水性を保持させている。
【００３０】
透過型スクリーンは、強化ガラスの下面に配設される拡散板（図示省略）と、拡散板の下面に配設される光学シートとしてのフレネルレンズ（図示省略）とを備えて構成される。フレネルレンズは、プロジェクタ４０から投写され拡散した光束を略平行光に均一化する。拡散板は、その均一にした光束を結像する働きを行うことにより、投写された映像を表示する。ユーザーは、透過型スクリーンに結像された映像を投写光の入射方向とは反対方向（天板スクリーン１０の上方）から視認することができる。
【００３１】
ここで、天板スクリーン１０に設けた天板排水路１１の構成を説明する。
天板スクリーン１０の４辺の外周部分には、排水路として天板排水路１１が備えられる。天板排水路１１は、液体が１方向に流れるように、天板スクリーン１０上面に対して天板排水路１１の面をそれぞれの辺において傾斜させ形成している。液体が１方向に流れるように形成した天板排水路１１は、排水路の面が一番低くなる部分（最下点とする）をフレーム２０と天板スクリーン１０との接続部分の位置となるよう１箇所に形成される。これにより、天板スクリーン１０上面にこぼれた液体は、天板スクリーン１０の上面を伝わり、天板排水路１１に流れ込み、最下点の１箇所に集まる。
【００３２】
上記最下点に位置するフレーム２０の内部には管状のフレキシブルな流路２１が備えられる。天板排水路１１の最下点部分と流路２１との接続部分には、継手（図示省略）が備えられ、天板排水路１１と流路２１とを連結する。流路２１は、筐体３０内部に備えられた冷却機構部５０に連結される。これにより、最下点の１箇所に集まる液体は、流路２１を流通し、冷却機構部５０に流入する。
【００３３】
図３を用いて、流路２１が連結される冷却機構部５０の構成を説明する。
冷却機構部５０は、流路２１と連結して液体を貯留するタンク部６０と、タンク部６０に貯留した液体を映像投写テーブル２００の外部に排水する排水部７０とを有する。また、タンク部６０に貯留した液体を循環させるポンプ部８０と、タンク部６０に映像投写テーブル２００の外部から液体を供給する給水部９０と、プロジェクタ４０で発生する熱をタンク部６０に伝熱する伝熱部１００とを有する。そして、排水部７０、ポンプ部８０及び給水部９０を制御する制御部１１０を有して構成されている。
【００３４】
タンク部６０は、流路２１と連結する第１タンク６１と、第１タンク６１から溢れた液体を貯留する第２タンク６２と、第１タンク６１の側面上方に連結され第２タンク６２天面に連結する流路６３とから構成される。また、第１タンク６１及び第２タンク６２の外周部には放熱用のフィン６８，６９を幾重にも配設している。
【００３５】
排水部７０は、第１バルブ７１と、第２バルブ７２と、第２タンク６２部の側面上方と第１バルブ７１とを連結する流路６４と、第１バルブ７１と流路７４とを連結する排水路となる流路７３と、第２タンク６２の底面と第２バルブ７２とを連結する流路６５と、第２バルブ７２に連結し排水路となる流路７４とから構成される。
【００３６】
ポンプ部８０は、第２タンク６２の液体を第１タンク６１に戻すためのポンプ８１と、第２タンク６２とポンプ８１を連結する流路８２と、ポンプ８１と第１タンク６１とを連結する流路８３とで構成される。
【００３７】
給水部９０は、本実施形態では、映像投写テーブル２００の設置される屋内に配管されている水道からの水道水（液体）を冷却用の液体として利用しており、その水道の配管から連結される流路９２と、流入する液体を調整する給水バルブ９１と、給水バルブ９１と流路２１に連結する流路９３とから構成されている。
【００３８】
制御部１１０は、第１タンク６１の内部に、第１液量センサ１１２と第１温度センサ１１３とを配設し、第２タンク６２の内部に、第２液量センサ１１４と第２温度センサ１１５とを配設している。また、第１液量センサ１１２は、第１タンク６１に連結する流路６３の近くに配設され液量の有無を検出する液量センサ１１２ａと、第１タンク６１の底面部に配設されて液量の有無を検出する液量センサ１１２ｂとで構成されている。また、第２液量センサ１１４は、第２タンク６２に連結する流路６４の近くに配設され液量の有無を検出する液量センサ１１４ａと、第２タンク６２の底面部に配設されて液量の有無を検出する液量センサ１１４ｂとで構成されている。また、制御部１１０は、これらのセンサの信号を受信して第１バルブ７１、第２バルブ７２、ポンプ８１及び給水バルブ９１を制御する制御回路１１１で構成されている。
【００３９】
伝熱部１００は、プロジェクタ４０を構成する光源（図示省略）で発生する熱を第１タンク６１に伝熱するためのものである。本実施形態では、ヒートパイプ１０１により、光源を覆う光源収容箱（図示省略）に伝熱する光源で発生した熱を、第１タンク６１に移送し伝熱している。
【００４０】
次に、冷却機構部５０の動作を説明する。
天板スクリーン１０の上面にこぼれた液体は、天板排水路１１を流通し、流路２１に流入し、接続する第１タンク６１内部に流入して貯留される。第１タンク６１内部に貯留される液体が、流路６３の接続される位置以上に貯留すると流路６３に流出して、第２タンク６２内部に流入する。第２タンク６２に流入した液体は、流路６５に流入し第２バルブ７２で止められる。また、第２タンク６２に流入して貯留する液体は、流路６４の接続される位置以上に貯留すると流路６４に流出して、第１バルブ７１で止められる。
【００４１】
第２タンク６２が、液体で満たされる場合には、液量センサ１１４ａが液体を感知して、液体が満たされたことの信号を制御回路１１１に送信する。送信された信号に基づき、制御回路１１１は、第１バルブ７１に対し、バルブを開放するための信号Ｓ１を送信する。その信号Ｓ１に基づき第１バルブ７１はバルブを開放し、液体を流路７３及びそれに連結する流路７４を介して映像投写テーブル２００の外部に排水する。また、第２タンク６２に貯留する液体を全部排水する場合、例えば、第２温度センサ１１５により、制御回路１１１が、第２タンク６２の液体の温度が所定値より上昇したと判断した場合などには、第２バルブ７２に対し、バルブを開放する信号Ｓ２を送信する。その信号Ｓ２に基づき第２バルブ７２はバルブを開放し、流路７４を介して、映像投写テーブル２００の外部に液体を排水する。
【００４２】
また、ヒートパイプ１０１により、光源の熱は第１タンク６１に伝熱される。第１タンク６１及びその外周に配設されるフィン６８は、熱伝導率の高い銅系の合金で構成されるため、ヒートパイプ１０１からの熱は、効率良く伝熱される。これにより、光源は、冷却される。なお、本実施形態での、タンク部６０及び各部での流路は、熱伝導率の高い銅系の合金により構成されているが、アルミニウム合金などで構成しても良い。
【００４３】
第１タンク６１に伝熱した熱は、フィン６８から放熱されると共に、第１タンク６１内部に貯留する液体に伝熱し、液体は温められる。そして、流路２１から流入する液体により、貯留する液体が攪拌され、温められた液体は、所定の量になると流路６３を介して流出する。それにより、ヒートパイプ１０１から伝熱された熱を冷却することができる。流路６３を介して、第２タンク６２に流入し貯留する熱を持った液体は、第２タンク６２及びフィン６９に伝熱することにより自然空冷される。フィン６９の放熱効果により自然空冷が効率的に行われる。
【００４４】
ここで、制御回路１１１が、第１液量センサ１１２及び第２液量センサ１１４の信号により、第２タンク６２は液体が満たされ、第１タンク６１は液体が不足していると判断する場合には、第２タンク６２内部の液体を第１タンク６１に戻す（循環する）ための信号Ｓ５をポンプ８１に送信する。ポンプ８１はその信号Ｓ５に基づいて駆動し、第２タンク６２内部の液体を第１タンク６１に戻す（循環する）動作を行う。このような動作は、他に、制御回路１１１が、第１温度センサ１１３及び第２温度センサ１１５により、第２タンク６２内部の温度が第１タンク６１内部の温度より冷却されていると判断した場合などでも同様に行う。
【００４５】
このように循環させることで、第１タンク６１内部の液体の量を適正に保ち、第１タンク６１内部の液体に熱を伝熱させ、ヒートパイプ１０１から伝熱される熱を効率的に冷却することができる。
【００４６】
また、制御回路１１１が、第１液量センサ１１２及び第２液量センサ１１４の信号により、第２タンク６２及び第１タンク６１内部に液体が不足していると判断する場合には、給水バルブ９１に、水道の液体を第１タンク６１及び第２タンク６２内部に給水するための信号Ｓ３を送信する。給水バルブ９１は、その信号Ｓ３に基づいてバルブを開放し、流路９２、流路９３及び流路２１を介して第１タンク６１及び第２タンク６２内部に液体を給水する。
【００４７】
このような動作は、他に、制御回路１１１が、第１温度センサ１１３及び第２温度センサ１１５により、第１タンク６１及び第２タンク６２内部の温度が高いと判断した場合などでも同様に行う。また、給水する場合は、制御回路１１１は、第１液量センサ１１２及び第２液量センサ１１４により、第１タンク６１及び第２タンク６２内部に適量の液体が満たされるように、第１バルブ７１及び第２バルブ７２を調整し、余分な液体は排水する制御を行う。
【００４８】
上述した冷却機構部５０の動作により、天板スクリーン１０の上面にこぼれた液体の排水及びプロジェクタ４０の光源で発生する熱の冷却を行う。
【００４９】
上述した、実施形態によれば以下の効果が得られる。
（１）本実施形態によれば、天板スクリーン１０上面にこぼれた液体は、天板排水路１１を流通して冷却機構部５０に流入する構成となっているため、こぼれた液体を効率的に利用した排水構造が可能となる。それにより、こぼれた液体は天板スクリーン１０上面に留まらず、液体の拭取りが殆ど必要なくなり、ユーザーは投写された映像を視認し続けることができる。
また、冷却機構部５０により、プロジェクタ４０の光源で発生した熱を冷却するため、従来の映像投写テーブルのようなプロジェクタ内部での冷却に対して、冷却効率を向上することができる。それにより、熱によるプロジェクタ４０の機能不具合の発生を防止することができる。これらにより、映像投写テーブル２００の利便性を向上することができる。
【００５０】
（２）本実施形態によれば、冷却機構部５０は、タンク部６０と排水部７０とポンプ部８０と伝熱部１００と制御部１１０とを有するため、天板スクリーン１０にこぼれた液体はタンク部６０の第１タンク６１及び第２タンク６２に貯留される。そして、ヒートパイプ１０１から伝熱されるプロジェクタ４０の光源で発生した熱を第１タンク６１及び第１タンク６１に貯留する液体に伝熱し、温まった液体は、第２タンク６２に流出して貯留することによりプロジェクタ４０を冷却することができる。また、制御回路１１１の制御により、ポンプ８１を駆動して第２タンク６２に貯留する自然空冷された液体を第１タンク６１に循環することで、冷却効率を更に向上することができる。
【００５１】
（３）本実施形態によれば、冷却機構部５０は、給水部９０を有するため、制御部１１０の備える各種センサにより、制御回路１１１が給水バルブ９１を駆動して、第１タンク６１及び第２タンク６２内部に適量の液体が満たされるように制御し保持することにより、冷却効率の向上と冷却安定性を向上できる。
【００５２】
（４）本実施形態によれば、第１タンク６１の外周に放熱用のフィン６８を幾重にも配設したため、ヒートパイプ１０１から伝熱された熱を効率的に放熱することができ、冷却効率を更に向上できる。
【００５３】
（５）本実施形態の映像投写テーブル２００は、特に、教育分野において用いられることにより効果を発揮する。具体的には、実験室の実験机に用いることにより、先生は、実験の説明を映像投写テーブル２００のプロジェクタ４０から天板スクリーン１０に映像を投写させて行うことができる。生徒は、その説明を視認・確認しながら、同時に天板スクリーン１０上で実験を進めることが可能となる。また、実験中に水道水などの液体が天板スクリーン１０上にこぼれても、天板排水路１１を介して冷却機構部５０に流入し、プロジェクタ４０の冷却に使用される。
【００５４】
なお、本発明は、上述した実施形態に限定されず、上述した実施形態に種々の変更や改良など加えることが可能である。変形例を以下に述べる。
【００５５】
（変形例１）前記実施形態において、冷却機構部５０が、タンク部６０と伝熱部１００と排水部７０とを有し、給水部９０とポンプ部８０と制御部１１０とを有さず構成される映像投写テーブル２００である場合においても、プロジェクタ４０の発生する熱を冷却することが出来る。この場合には、筐体３０に収容されるタンク部６０の、第１タンク６１及び第２タンク６２の側面に透明な窓を設けて、その窓に対向する筐体３０側面にも透明な窓を設ける。また、排水部７０の第１バルブ７１及び第２バルブ７２を筐体３０の側面部分に突出させるか、側面部分に蓋を設けて、蓋を開けることなどにより、操作が行なえるように配設することで可能となる。
【００５６】
このように構成することで、ユーザーは、第１タンク６１及び第２タンク６２に貯留する液体の量を確認して、第１バルブ７１または第２バルブ７２を開閉することにより、適切にタンク内部に貯留する液体の量を調節することが出来る。なお、天板排水路１１からの液体の流入がなくタンクが空となる場合であっても、熱伝導率の高い第１タンク６１、第２タンク６２及びフィン６８，６９により、伝熱部１００であるヒートパイプ１０１からの熱を伝熱し、放熱することが出来る。よって、液体が貯留している場合に比べて、冷却効率は低下するが、プロジェクタ４０の発生する熱を冷却することが出来る。
【００５７】
（変形例２）前記変形例１において、冷却機構部５０が、タンク部６０、伝熱部１００及び排水部７０以外に給水部９０を有し、ポンプ部８０と制御部１１０とを有さない構成の映像投写テーブル２００である場合においても、プロジェクタ４０の発生する熱を冷却することが出来る。
【００５８】
この場合には、変形例１で設けた窓など以外に、給水部９０の給水バルブ９１を筐体３０の側面または、天板排水路１１の上方に突出させて設ける。これにより、ユーザーは、第１タンク６１及び第２タンク６２内部に貯留する液体の量が少ない場合には、給水バルブ９１を開放して第１タンク６１及び第２タンク６２内部に液体を給水することにより、貯留する液体の量を適量に保持でき、プロジェクタの発生する熱の冷却効率の向上と冷却安定性を向上できる。
【００５９】
（変形例３）前記実施形態において、冷却機構部５０が、ポンプ部８０を有さない構成の映像投写テーブル２００であっても、プロジェクタ４０の発生する熱を冷却することが出来る。この場合には、液体の循環は、第１液量センサ１１２、第２液量センサ１１４、第１温度センサ１１３及び第２温度センサ１１５の信号を制御回路１１１が判断し、第１バルブ７１、第２バルブ７２及び給水バルブ９１を制御することにより行なうことが出来る。
【００６０】
（変形例４）前記実施形態において、冷却機構部５０が、給水部９０を有さない構成の映像投写テーブル２００であっても、プロジェクタ４０の発生する熱を冷却することが出来る。この場合には、液体の循環は、第１液量センサ１１２、第２液量センサ１１４、第１温度センサ１１３及び第２温度センサ１１５の信号を制御回路１１１が判断し、第１バルブ７１、第２バルブ７２及びポンプ８１を制御することにより行なうことが出来る。
【００６１】
但し、第１タンク６１及び第２タンク６２内部に貯留する液体が空の場合には液体の循環は行なわれないが、熱伝導率の高い第１タンク６１、第２タンク６２及びフィン６８，６９により、ヒートパイプ１０１からの熱を伝熱し、放熱することが出来る。よって、液体が貯留している場合に比べて、冷却効率は低下するが、プロジェクタ４０の発生する熱を冷却することが出来る。
【００６２】
（変形例５）前記実施形態において、伝熱部１００は、ヒートパイプ１０１で構成されているが、これに限られず、流路で構成してもよい。例えば、図４は、伝熱部を流路で構成した概略構成図である。図４に示すように、第１タンク６１から、流路１０２が、Ｕ字状の流路を幾重かに繰り返す部分を有して、再び、第１タンク６１に戻るように構成されている。そして、流路１０２の途中に液体を循環させる駆動源としてポンプＰを使用している。Ｕ字状の流路部分は、プロジェクタ４０の光源で発生した熱を伝熱する光源を覆う光源収容箱に接触している。これにより、第１タンク６１内部の液体は、制御回路１１１の指示によりポンプＰが駆動することで、流路１０２内を図中矢印で示す方向に流通し、光源収容箱に接触するＵ字状の流路部分に熱を伝熱されて温められた液体が第１タンク６１に戻る。戻った液体は、前記実施形態で述べたと同様に冷却される。なお、図４は、図３と比較して伝熱部１００の構成が異なるのみであり、図３と同様の構成については、図３と同様の記号を付記している。
【００６３】
（変形例６）前記実施形態において、伝熱部１００は、ヒートパイプ１０１を用いて、プロジェクタ４０の光源収容箱と第１タンク６１とに接続している。しかし、ヒートパイプ１０１ではなく、複数のフィンを持つヒートシンクを用いて、第１タンク６１に接続させて構成し、光源を冷却するファンによりプロジェクタ４０の外部に排出される熱を持った熱風をフィンで受けることで伝熱させて、第１タンク６１に伝熱させても良い。これによりプロジェクタ４０の外部に排出される熱を持った熱風が冷却されることにより、プロジェクタ４０も冷却されることになる。また、前記ヒートシンクを光源収容箱と接続させて伝熱させることでも良い。
【００６４】
（変形例７）前記実施形態において、タンク部６０は、第１タンク６１と第２タンク６２との２つのタンクを有して構成されているが、当然１つのタンクを有する構成でも良い。その場合は、タンクの容量を大きくすることで熱容量を大きくさせ、また、タンクに連結される流路を長くすることで外気に触れる表面積を大きくし、ポンプ８１を使用してタンクと流路の内部に液体を循環させることで、冷却効率を向上させることができる。
【００６５】
（変形例８）前記実施形態において、プロジェクタ４０の光源が発生する熱に対して冷却しているが、これに限らず、プロジェクタ４０を構成する回路基板部や液晶パネル部や偏光板部で発生する熱に対しても冷却することができる。
【００６６】
（変形例９）前記実施形態において、伝熱部１００は、ヒートパイプ１０１を用いているが、これに限らず、熱伝導率が高い部材である銅、アルミニウム、マグネシウムなどの合金を適宜加工して使用することでも良いし、グラファイトシートなどの熱伝導率が高いシート状部材を適宜加工して使用することでも良い。また、伝熱部１００が接続するプロジェクタ４０の発熱部やタンク部６０の接続部分には、高熱伝導性材料として、シリコングリースなどの液状の充填材などを使用することで、接触面における空気層（断熱層）をなくすことができ、より密着して接続できるため、伝熱損失を小さくする方法として効果的である。
【００６７】
（変形例１０）前記実施形態において、伝熱部１００は、第１タンク６１に接続して熱を伝えているが、これに限らず、第１タンク６１と第２タンク６２との双方のタンクに接続して、熱を伝えても良い。伝熱及び冷却効率の面から、適宜接続方法を設定することができる。
【００６８】
（変形例１１）前記実施形態におけるプロジェクタ４０は、透過型液晶方式のプロジェクタである。しかし、これに限らず、ＤＬＰ（登録商標）（Digital Light Processing）方式、および、反射型液晶方式であるＬＣＯＳ（Liquid Crystal On Silicon）方式などを採用したプロジェクタにも本発明を実施することが可能である。
【図面の簡単な説明】
【００６９】
【図１】本発明の実施形態に係る映像投写テーブルの概略側面図である。
【図２】映像投写テーブルの概略側面断面図である。
【図３】冷却機構部の概略構成図である。
【図４】伝熱部を流路で構成した概略構成図である。
【符号の説明】
【００７０】
１０…天板スクリーン、１１…天板排水路、２０…フレーム、２１…流路、３０…筐体、３１…投写孔、４０…プロジェクタ、４１…投写レンズ、５０…冷却機構部、６０…タンク部、６１…第１タンク、６２…第２タンク、６３，６４，６５…流路、６８，６９…フィン、７０…排水部、７１…第１バルブ、７２…第２バルブ、７３，７４…流路、８０…ポンプ部、８１…ポンプ、８２，８３…流路、９０…給水部、９１…給水バルブ、９２，９３…流路、１００…伝熱部、１０１…ヒートパイプ、１０２…流路、１１０…制御部、１１１…制御回路、１１２…第１液量センサ、１１２ａ，１１２ｂ…液量センサ、１１３…第１温度センサ、１１４…第２液量センサ、１１４ａ，１１４ｂ…液量センサ、１１５…第２温度センサ、２００…映像投写テーブル、Ｐ…ポンプ。
【図１】
2006126392.tif 000003
【図２】
2006126392.tif 000004
【図３】
2006126392.tif 000005
【図４】
2006126392.tif 000006